(57)【要約】【課題】  段ボールに使用される波状に加工された波状板状体を利用してトコジラミ等の害虫の捕獲を可能とする害虫捕獲器を提供する。更には、ゴキブリ等の徘徊昆虫をも捕獲可能とする害虫捕獲器を提供する。【解決手段】  波状に加工された波状板状体１２と、粘着面を有するとともに粘着面を波状板状体１２側に向けて波状板状体１２の波状凸部Aに貼着する粘着体１３とを有する。  粘着体１３の粘着面と波状板状体の波状凸部間に害虫侵入部Bを設ける害虫捕獲器１１。【選択図】図１
2014064499.tif 000002
【特許請求の範囲】
【請求項１】
波状に加工された波状板状体と、粘着面を有するとともに粘着面を波状板状体側に向けて波状板状体の波状凸部に貼着する粘着体とを有し、粘着体の粘着面と波状板状体の波状凸部間に害虫侵入部を設ける害虫捕獲器。
【請求項２】
波状に加工された波状板状体と、粘着面を有するとともに粘着面の他面は家具と違和感の無い色調とし、粘着面を波状板状体側に向けて波状板状体の波状凸部に貼着する粘着体とを有し、粘着体の粘着面と波状板状体の波状凸部間に害虫侵入部を設ける害虫捕獲器。
【請求項３】
波状に加工されかつ折り曲げ可能な波状板状体と、粘着面を有するとともに粘着面を波状板状体側に向けて波状板状体の波状凸部に貼着するとともに折り曲げ可能な粘着体とを有し、粘着体の粘着面と波状板状体の波状凸部間に害虫侵入部を設け、柱状体に巻きつけて固定される害虫捕獲器。
【発明の詳細な説明】
【技術分野】
【０００１】
本発明は、トコジラミ等の害虫捕獲器に係る。
【背景技術】
【０００２】
特許文献１に記載の「トコジラミ捕獲器」は、「繊維質の材料からなる第一の平坦なパネル及び繊維質の材料からなる第二のパネルを少なくとも含むトコジラミ捕獲器において、第一のパネルは、第二のパネルに固定するための、接着剤で覆われた領域を有し、第二のパネルは、少なくとも１の面に接着剤の帯（１０１）を有し、該接着剤の帯は、第一のパネルの幅より狭い幅であり、第一のパネルは接着剤で覆われた領域を有し、該領域は該接着剤の帯から一定の距離に位置し、かつ接着剤の帯に向き合っており、該捕獲器は、第二のパネルが平坦であること、及び第一の及び第二のパネルは、繊維質の材料からなる単独の当初の平坦なパネルの第一の部分及び第二の部分からそれぞれなり、該当初の平坦なパネルは前もって接着剤で被覆されており、その後で、第一の部分および第二の部分が互いに向き合うように半分に折り曲げられていることを特徴とし、接着剤の帯（１０１）は、当初のパネルの第二の部分の上に延在し、当初のパネルの第一の部分の上で延びており、当初のパネルの第一の部分及び第二の部分の間の固定化領域は、当初のパネルの上に置かれ、延びている接着剤の帯の厚さより厚い、接着剤の複数の点により実行されており、それによりチャンネルを形成している該トコジラミ捕獲器に関する。」に係る。
【０００３】
特許文献２に記載の「昆虫忌避性塗工液及びそれからなる層を有する昆虫忌避性積層体」は、「臭いの少ない昆虫忌避成分含有層を有する板紙、段ボール、紙器及びフィルムを提供することを目的とする。」ものであり、「昆虫忌避性塗工液として、ヒバ油又はヒバ油抽出成分を含む昆虫忌避成分を０．６〜３０重量％含有する。」に係る。
【０００４】
特許文献３に記載の「バックインボックス用外装箱」は、「胴膨れ現象を防止することができると共に，耐積圧性能を大幅に向上させることができ，しかも，害虫が板紙間に入り込む心配が少なく撥水性能も従来の段ボール板紙と比較して強く，さらには，調理場で外装箱を横倒しして使用するときに，収納物を最後まで注出し易く，また，パレットへの荷積み個数を従来の四角形外装箱よりも大幅に増加させることが可能な低廉なバックインボックス用外装箱を提供する。」ものであり、「バックインボックスの外装箱を，一対の短辺と一対の長辺と，これら長辺と短辺の交叉隅部に斜めに形成されたリブ辺部と，で平面形状を不等辺８角形状に形成すると共に，該外装箱は，段ボールライナー板紙を複数枚積層して接着して構成した。」に係る。
【先行技術文献】
【特許文献】
【０００５】
【特許文献１】特表２０１２−５０５６４９号公報
【特許文献２】特開２００３−３２７５０３号公報
【特許文献３】特開２００６−２３２３０５号公報
【発明の概要】
【発明が解決しようとする課題】
【０００６】
従来の特許文献１に記載の「トコジラミ捕獲器」は、段ボールを用いたものではない。
特許文献３に記載の「バックインボックス用外装箱」は、「害虫が板紙間に入り込む」ことについての記載があるも、その虫の特性を害虫捕獲器に応用する提案はなされていなかった。
【０００７】
本発明の目的は、段ボールに使用される波状に加工された波状板状体を利用してトコジラミ等の害虫捕獲器を可能とする課題を解決する手段を提供することである。
【課題を解決するための手段】
【０００８】
本発明の害虫捕獲器は、
波状に加工された波状板状体と、粘着面を有するとともに粘着面を波状板状体側に向けて波状板状体の波状凸部に貼着する粘着体とを有し、粘着体の粘着面と波状板状体の波状凸部間に害虫侵入部を設ける、
害虫捕獲器を備える。
あるいは、
波状に加工された波状板状体と、粘着面を有するとともに粘着面の他面は家具と違和感の無い色調とし、粘着面を波状板状体側に向けて波状板状体の波状凸部に貼着する粘着体とを有し、粘着体の粘着面と波状板状体の波状凸部間に害虫侵入部を設ける、
害虫捕獲器を備える。
あるいは、
波状に加工されかつ折り曲げ可能な波状板状体と、粘着面を有するとともに粘着面を波状板状体側に向けて波状板状体の波状凸部に貼着するとともに折り曲げ可能な粘着体とを有し、粘着体の粘着面と波状板状体の波状凸部間に害虫侵入部を設け、柱状体に巻きつけて固定される、
害虫捕獲器を備える。
【発明の効果】
【０００９】
本発明によれば、段ボールに使用される波状に加工された波状板状体を利用してトコジラミ等の害虫捕獲器を可能とする課題を解決する手段を提供することを可能とする。
【図面の簡単な説明】
【００１０】
【図１】この発明の実施の形態に係る害虫捕獲器の斜視図である。
【図２】この発明の実施の形態に係る害虫捕獲器の正面図である。
【図３】この発明の他の実施の形態に係る害虫捕獲器の正面図である。
【図４】この発明の他の実施の形態に係る害虫捕獲器の正面図である。
【図５】この発明の他の実施の形態に係る害虫捕獲器の斜視図である。
【図６】この発明の他の実施の形態に係る害虫捕獲器の正面図である。
【図７】この発明の他の実施の形態に係る害虫捕獲器の斜視図である。
【発明を実施するための形態】
【００１１】
この発明の実施の形態をあらわす図１乃至図２及び、他の実施の形態をあらわす図３乃至図７に基づいて説明する。
【００１２】
１１は、本発明の害虫捕獲器である。
１２は害虫捕獲器１１を構成する波状板状体である。波状板状体１２は、波状に加工され表面には凹凸が設けられる。
波状に加工される波状板状体１２としては、波状の紙からなる段ボールを利用可能である。すなわち、波状の紙が表面にでており、表面に凹凸面が設けられている片面段ボールである。波状に加工した紙を表裏の紙で挟んで接着し、強度を持たせた構造をしている両面段ボールも利用可能である。さらに多層に加工した段ボールを利用可能である。Aは、波状凸部である。波状板状体１２は、表面に凹凸面が設けられていればよく、紙製のみならずそれ以外の素材、例えばプラスチックスからなってもよい。
【００１３】
１３は、粘着体である。粘着体１３は、プラスチックフィルムからなり、その表面に粘着剤を塗布した粘着面を有する。粘着面は、粘着体１３の両面に設けてもよい。
粘着体１３は、プラスチックフィルムのように板状であればよく、透明でも不透明でもよい。木目調等の家具と違和感の無い色調としてもよい。また、粘着体１３は、プラスチックフィルムであって、紙製であってもよい。
粘着体１３は、粘着面を波状板状体１２側に向けて波状板状体１２の波状凸部Ａに貼着する。
粘着面と波状板状体１２の波状凸部A間に害虫侵入部Bを設ける、
【００１４】
粘着体１３は、粘着面を波状板状体１２側に向けて波状板状体１２の波状凸部Ａに貼着しているため、トコジラミ等の害虫は、波状に加工される波状板状体１２の凹凸の隙間から害虫侵入部Bに入り込み、粘着体１３の粘着体に捕獲される。
【００１５】
図３に図示される１４は、視認面である。視認面１４は、人目に付く外側に向けて設け、木目調等の家具と違和感の無い色調とすることで、害虫捕獲器１１全体を目立たないようにする。視認面は木目調に彩色されたプラスチックフィルムからなる。
視認面１４は、粘着体１３の粘着面および波状板状体１２を挟んだ反対側面あるいは、図４に図示するように粘着体１３の粘着面の反対側面に設けても良い。
【００１６】
図５に図示される害虫捕獲器１１では、図１乃至図４に図示される害虫捕獲器１１を、ベッドの脚、テーブルの脚、椅子の脚等の柱状体１５に折り曲げ可能な粘着体１３として巻きつけたものである。トコジラミ等の害虫は、これら柱状体１５を登って移動する場合、波状に加工される波状板状体１２の凹凸の隙間から害虫侵入部Bに入り込み、粘着体１３の粘着体に捕獲される。
視認面１４を人目に付く外側に向け、かつ視認面１４を柱状体１５と同じような色としたときは、害虫捕獲器１１の存在が目立たないで済む。
【００１７】
図６に図示される害虫捕獲器１１は、図１、図２に図示される害虫捕獲器１１を積層させたものである。積層は、この実施例では２層であるが、３層以上であってもよい。害虫捕獲がより有効である。
【００１８】
図７に図示するのは、害虫捕獲ボックス２１に害虫捕獲器１１を取り付けた実施例である。害虫捕獲ボックス２１は、紙製からなり紙を図７に図示するように、組み立てて使用する。害虫捕獲ボックス２１には、側面に設けられる害虫侵入口２２、２２と、正面に設けられる害虫侵入口２３が設けられる。
害虫捕獲ボックスの表面には、粘着面２４が設けられる。粘着面２４上に、粘着底面  上に図１、図２に図示される実施例を載せる。あるいは、粘着面２４上に、直接波状板状体１２を設置する。あるいは、図６に図示される2層の実施例を載せる。その場合、最下層の面には粘着フィルムは不要として、粘着面２４をそのまま利用してもよい。
図７に図示される実施例においては、害虫捕獲器１１の天井面には粘着面を設けてある。そのため、害虫侵入口２２から侵入するゴキブリなどの徘徊昆虫も、天井面に設けられた粘着面で捕獲することが可能である。
【符号の説明】
【００１９】
１１  害虫捕獲器
１２  波状板状体
１３  粘着体
１４  視認面
Ａ  波状凸部
Ｂ  害虫侵入部
【図１】
2014064499.tif 000003
【図２】
2014064499.tif 000004
【図３】
2014064499.tif 000005
【図４】
2014064499.tif 000006
【図５】
2014064499.tif 000007
【図６】
2014064499.tif 000008
【図７】
2014064499.tif 000009